(57)【要約】  本発明は非理想的光学ディスクの再生可能性を向上する方法に関する。先ず、光学担体の非対称性（Ａｓ）が定められる。前記非対称性が所定の第１の閾より高い場合、前記非対称性表示（Ａｓ１）に応じて、上方カットオフ周波数（ＨＰＦ）をデータ・チャンネル（ＨＦ）に実行される高域通過フィルタリング（ＢＰＦ）の第１のカットオフ周波数（ＨＰＦ１）まで低下する段階が実行される。次に、光学担体を制御するサーボ機構のラジアル・エラー信号（ＲＥ）及び／又はフォーカス・エラー信号（ＦＥ）の増幅レベルを最適化する段階が実行される。最後に、光学担体からのデータ・チャンネル（ＨＦ）の第２の非対称性表示（Ａｓ２）を定める最終段階が実行される。本発明は有利なことに、非対称性が、高域通過フィルター調整により割り込まれ２回連続して評価されるので、より良好な非対称性表示が提供される。
2009508279.tif 000002
【特許請求の範囲】
【請求項１】
方法であって、非理想的光学担体から情報を読み出す間の前記非理想的光学担体からの情報の再生可能性を向上し、前記方法は、
（ａ）前記光学担体からの情報のデータ・チャンネルの第１の非対称性表示を定める段階、
前記第１の非対称性表示が所定の第１の閾より高い場合、
（ｂ）前記第１の非対称性表示に応じて、上方カットオフ周波数を前記担体の情報のデータ・チャンネルで実行される高域通過フィルタリングの第１のカットオフ周波数まで低下する段階、
（ｃ）前記光学担体を制御するサーボ機構のラジアル・エラー信号及び／又はフォーカス・エラー信号の増幅レベルを最適化する段階、及び
（ｄ）前記光学担体からのデータ・チャンネルの第２の非対称性表示を定める段階、を有する方法。
【請求項２】
（ｅ１）前記第２の非対称性表示が所定の第２の閾より高い場合、前記カットオフ周波数を前記担体の情報のデータ・チャンネルで実行される高域通過フィルタリングの第２のカットオフ周波数まで低下する段階、を更に有する請求項１記載の方法。
【請求項３】
（ｅ２）前記第２の非対称性表示が所定の第２の閾より高い場合、前記担体の情報のデータ・チャンネルで実行される低域通過フィルタリングの下方カットオフ周波数を増大する段階、を更に有する請求項１記載の方法。
【請求項４】
前記第２のカットオフ周波数及び／又は前記下方カットオフ周波数は、前記非対称性の最適化手順の結果、調整される、請求項２乃至３の何れか１項記載の方法。
【請求項５】
（ｆ）前記光学担体からのデータ・チャンネルの第３の非対称性表示を定める段階、及び
（ｇ）前記第３の非対称性表示に応じて、データ・チャンネルのチャンネル・コード内のチャンネル・ビットの比較的低い整数値を有するデータ・チャンネル部分を増幅するイコライザを適用する段階、を更に有する請求項１記載の方法。
【請求項６】
（ｈ）前記イコライザの１又は複数の調整可能パラメーターを変化することにより、前記データ・チャンネルのジッタの最適化を実行する段階、を更に有する請求項５記載の方法。
【請求項７】
前記データ・チャンネル部分は、データ・チャンネルのチャンネル・コード内で最も低い整数値のチャンネル・ビットを有する、請求項５記載の方法。
【請求項８】
（ｃ）前記光学担体を制御するサーボ機構のラジアル・エラー信号及び／又はフォーカス・エラー信号の増幅レベルを最適化する段階は、自動利得制御の適用により実行される、請求項１記載の方法。
【請求項９】
前記段階（ａ）、（ｂ）、（ｃ）、及び（ｄ）の１又は複数は複数回繰り返される、請求項１記載の方法。
【請求項１０】
光学ドライブであって、非理想的担体に情報を記録し／非理想的担体から情報を再生し、前記光学ドライブは、前記光学担体から情報を読み出す間の再生可能性を向上するよう適応され、前記光学ドライブは、
（ａ）前記光学担体からのデータ・チャンネルの第１の非対称性表示を定める前記光学担体からのデータ・チャンネルの第２の非対称性表示を定める測定手段、
（ｂ）前記第１の非対称性表示が所定の第１の閾より高い場合、前記第１の非対称性表示に応じて、上方カットオフ周波数を前記担体の情報のデータ・チャンネルの第１のカットオフ周波数まで低下する高域通過フィルタリング手段、
（ｃ）前記光学担体を制御するサーボ機構のラジアル・エラー信号及び／又はフォーカス・エラー信号の増幅レベルを最適化する増幅手段、及び
（ｄ）前記光学担体からのデータ・チャンネルの第２の非対称性表示を定める測定手段、を有する光学ドライブ。
【請求項１１】
コンピューター・プログラムであって、関連付けられたデータ記憶手段を有する少なくとも１つのコンピューターを有するコンピューター・システムに、請求項１に従い、情報を読み出す間の非理想的光学担体からの情報の再生可能性を向上させる、コンピューター・プログラム。
【発明の詳細な説明】
【技術分野】
【０００１】
本発明は、光学ドライブ内の光学担体から情報を再生する際に非理想的光学担体の再生可能性を向上する方法に関する。本発明はまた対応する光学ドライブに関する。
【背景技術】
【０００２】
情報をＣＤ，ＤＶＤ、ＢＤのような光学担体へ光学的に記憶する分野では、光学担体の最大物理的公差及び読み出し高周波数信号（ＨＦ）の特性のための規格が確立されており、光学担体又はディスクの手順は当該規格に従う。これらの規格はＣＤ規格のための所謂レッドブック及びイエローブック、及びＤＶＤディスクのための所謂ブックＡ、ブックＢ、ブックＣ等で知られている。これらの規格に準拠することにより、例えば担体毎の偏差に拘わらず種々の製造元の担体と光学ドライブとの間で再生可能になる。再生可能性は従って、情報を非理想的担体から非理想的環境で再生する能力として定められ得る。
【０００３】
このような理想からの偏差の１つにＨＦ信号の非対称性（Ａｓ）がある。これはＤＶＤ−ＲＯＭのような読み出し専用ディスクの不完全な製造の結果生じ得る。図１Ａは標準のディスクの良く知られているアイ・パターンの例を示す。比較のため、図１Ｂは多くの非対称ＨＦ信号に苦しむディスクからのアイ・パターンを示す。水平の点線はＨＦ信号の３Ｔ成分のレベルを示す。図１Ｂの非対称ディスクの３Ｔ信号はＨＦ信号の中央より遙かに下へシフトしていることが分かる。あらゆるディスクで、読み出し専用ピックアップによる非対称性（Ａｓ）は、規格により望ましくは次の通りである：
Ａｓ＝｜Ａ１−Ａ２｜／｜Ａ１＋Ａ２｜＜０．２
ここでＡ１及びＡ２はそれぞれＨＦ信号の平均値に対する反対方向のピーク値である。出願人により行われたベンチマークの結果は、全てのＤＶＤ−ＲＯＭの約５％が標準より高い非対称性を有することを示した。同様に、書き込み可能ディスクで実行された情報の記録は、標準より高いＨＦ信号の非対称性をしばしば生じた。おそらく全ての書き込み可能ＤＶＤの２０−３０％がこの欠陥に苦しんでいる。
【０００４】
非理想的ディスクの非対称性問題は、種々の方法で解決されている。例えば特許文献１では、ＨＦスライサーのスライス・レベルは、ビット誤り率（ＢＥＲ）を最適化するために非対称性に応じて調整される。
【０００５】
しかしながら、従来、最も一般的な手法は、非対称ディスクの読み出し可能性を向上するために径方向オフセット較正を実行する必要がある。この較正はディスクの非対称性のために「粗悪な」ＨＦ信号品質で実行される。これはまた、較正の信頼性にも影響する。次に、この信頼できない較正により導入された径方向オフセット較正は、光学ドライブのトラッキング及びシーキング動作に問題を引き起こす。これは実際の動作では許容できない。最後に、この径方向オフセット較正はまた、光学ドライブの起動時間に更に０．６−１．０秒の較正時間を追加する。
【特許文献１】米国特許出願第２００４／００４２３６６号明細書
【特許文献２】米国特許出願第２００４／０１４５９８７号明細書
【発明の開示】
【発明が解決しようとする課題】
【０００６】
従って、非理想的光学担体の再生可能性を向上する方法は有利であり、特に光学担体からの非対称読み出し信号を補正する効率的及び／又は信頼できる方法は有利である。
【０００７】
従って、本発明は、望ましくは、上述の不利点の１つ以上を単独で又は如何なる組み合わせで緩和、軽減又は除去することを目的とする。特に、本発明の目的は、光学担体からの非対称高周波数（ＨＦ）信号に伴う従来技術の上述の問題を解決する方法を提供することである。
【課題を解決するための手段】
【０００８】
当該目的及びいくつかの他の目的は本発明の第１の態様により達成される。本発明の第１の態様は、方法であって、非理想的光学担体から情報を読み出す間の前記非理想的光学担体からの情報の再生可能性を向上し、前記方法は、
（ａ）前記光学担体からの情報のデータ・チャンネル（ＨＦ）の第１の非対称性表示（Ａｓ１）を定める段階、
前記第１の非対称性表示が所定の第１の閾より高い場合、
（ｂ）前記第１の非対称性表示（Ａｓ１）に応じて、上方カットオフ周波数（ＨＰＦ）を前記担体の情報のデータ・チャンネル（ＨＦ）で実行される高域通過フィルタリングの第１のカットオフ周波数（ＨＰＦ１）まで低下する段階、
（ｃ）前記光学担体を制御するサーボ機構のラジアル・エラー信号（ＲＥ）及び／又はフォーカス・エラー信号（ＦＥ）の増幅レベルを最適化する段階、及び
（ｄ）前記光学担体からのデータ・チャンネル（ＨＦ）の第２の非対称性表示（Ａｓ２）を定める段階、を有する。
【０００９】
本発明は、特にしかし排他的ではなく、２回連続して、つまり高域通過フィルター調整と光学担体を制御するサーボ機構のラジアル・エラー信号（ＲＥ）及び／又はフォーカス・エラー信号（ＦＥ）の増幅レベルの最適化とによる割り込みにより非対称性が評価されるため、より良好な非対称性表示を得るので有利である。本発明の発明者等は従って非対称性（Ａｓ）のより正確な評価を達成した。従来、このような高域通過フィルター調整に適用される設定は非対称性に応じて調整されていなかった。この調整を省略することにより、初めに測定された非対称性は実際の値より低くなり得る。これは勿論、問題の担体の再生可能性に決定的に重要である。従来、データ・チャンネルの高域通過フィルターのカットオフ周波数の調整は、例えばデータ・チャンネルのビット周波数の変化に応じて、一定角速度（ＣＡＶ）で回転する担体に対し、担体上の放射スポットが担体の内側位置から担体の外側位置へ移動するときに行われていた。従って、本発明は特に、カットオフ周波数が最初の初期非対称性（Ａｓ１）表示に応じて調整される点で従来技術と異なる。
【００１０】
第二に、前記最初の非対称性表示に応じて担体の情報のデータ・チャンネル（ＨＦ）で実行される高域通過フィルタリングのカットオフ周波数（ＨＰＦ１）を低下する段階は、ある条件下で、つまり非対称性（Ａｓ）を低下することにより前記ＨＦ信号を向上し得る。
【００１１】
第１の実施例では、前記第２の非対称性表示（Ａｓ２）が所定の第２の閾より高い場合、カットオフ周波数を高域通過フィルターの第２のカットオフ周波数（ＨＰＦ２）に低下する追加段階は、担体の情報のデータ・チャンネル（ＨＦ）で実行されて良い。同様に、前記第２の非対称性表示（Ａｓ２）が所定の第２の閾より高い場合、低域通過フィルターの下方カットオフ周波数（ＬＰＦ１）を低下する段階は、担体の情報のデータ・チャンネル（ＨＦ）で実行されて良い。望ましくは、上方及び下方周波数設定は、最小非対称性（Ａｓ）を与えるよう設定される。更に望ましくは、非対称性（Ａｓ２）の最適化手順が実行される。
【００１２】
別の実施例では、光学担体からのデータ・チャンネル（ＨＦ）の第３の非対称性表示（Ａｓ３）を定める段階が実施されて良い。また、前記第３の非対称性表示（Ａｓ３）に応じて、データ・チャンネル（ＨＦ）のチャンネル・コード、例えばＥＦＭ＋内のチャンネル・ビットの比較的低い整数値を有するデータ・チャンネル部分を増幅するイコライザを適用して良い。従って、高周波数成分、例えば３Ｔ、４Ｔ、５Ｔ等は高められる。
【００１３】
有利なことに、本発明の更に別の実施例では、イコライザの１又は複数の調整可能パラメーターを変化することによりデータ・チャンネルのジッタの最適化が実行され、改善された信号を生じて良い。或いは、ビット誤り率（ＢＥＲ）は、イコライザの１又は複数の調整可能パラメーターを変化することにより最小化され、改善された信号を生じて良い。
【００１４】
有利なことに、（ｃ）光学担体を制御するサーボ機構のラジアル・エラー信号（ＲＥ）及び／又はフォーカス・エラー信号（ＦＥ）の増幅レベルを最適化する段階は、自動利得制御（ＡＴＣ）又は他の同様の手段の適用により実行されて良い。
【００１５】
本発明により得られる結果を向上するために、段階（ａ）、（ｂ）、（ｃ）、及び（ｄ）の１又は複数は複数回繰り返されて良い。例えば種々の平均化手順が実施されて良い。
【００１６】
本発明の第２の態様は光学ドライブであって、非理想的担体に情報を記録し／非理想的担体から情報を再生し、前記光学ドライブは、光学担体から情報を読み出す間、再生可能性を向上するよう適応され、前記光学ドライブは、
（ａ）前記光学担体からのデータ・チャンネル（ＨＦ）の第２の非対称性表示を定める測定手段、
（ｂ）前記第１の非対称性表示が所定の第１の閾より高い場合、前記第１の非対称性表示（Ａｓ１）に応じて、上方カットオフ周波数（ＨＰＦ）を前記担体の情報のデータ・チャンネル（ＨＦ）の第１のカットオフ周波数（ＨＰＦ１）に低下する高域通過フィルター手段、
（ｃ）前記光学担体を制御するサーボ機構のラジアル・エラー信号（ＲＥ）及び／又はフォーカス・エラー信号（ＦＥ）の増幅レベルを最適化する増幅手段、及び
（ｄ）前記光学担体からのデータ・チャンネル（ＨＦ）の第２の非対称性表示（Ａｓ２）を定める測定手段、を有する。
【００１７】
本発明の第３の態様は非理想的光学担体から情報を読み出す間、前記非理想的光学担体からの情報の再生可能性を向上であって、前記コンピューター・プログラムは、関連付けられたデータ記憶手段を有する少なくとも１つのコンピューターを有するコンピューター・システムに、本発明の第１の態様に従い情報を読み出す間、非理想的光学担体からの情報の再生可能性を向上させる。
【００１８】
本発明のこの態様は、特にしかし排他的でなく、本発明がコンピューター・プログラムにより実施されて良く、コンピューター・システムに本発明の第１の態様の動作を実行させるので有利である。従って、いくつかの知られている光学記録／再生装置が、当該光学記録／再生装置を制御するコンピューター・システムにコンピューター・プログラムをインストールすることにより、本発明に従い動作するよう変更され得ることが考えられる。このようなコンピューター・プログラムは、如何なる種類のコンピューター可読媒体、例えば磁気的又は光学的媒体で、又はコンピューターに基づくネットワーク、例えばインターネットを通じて提供されて良い。
【００１９】
本発明の第１、第２、及び第３の態様はそれぞれ他の如何なる態様と組み合わされても良い。本発明の上述の及び他の態様は、本願明細書に記載される実施例から、及びその説明から明らかである。
【００２０】
本発明は、単なる例である図面を参照し更に詳細に説明される。
【発明を実施するための最良の形態】
【００２１】
図１は２つのアイ・パターンを示す。図１Ａは標準のディスクのアイ・パターンを示す。図１Ｂは多くの非対称ＨＦ信号に苦しむディスクからのアイ・パターンを示す。点線はＨＦ信号の３Ｔ成分のレベルを示す。図１Ｂの非対称ディスクの３Ｔ信号はＨＦ信号の中央より遙かに下へシフトしていることが分かる。
【００２２】
図２は、本発明による光学装置又はドライブ及び光学情報媒体１を示す。担体１は、保持手段３０により固定され回転される。
【００２３】
担体１は、放射ビーム５を用い情報を記録するのに適した材料を有する。記録材料は、例えば光磁気型、位相変化型、色素型、Ｃｕ／Ｓｉのような合金、又は如何なる他の適切な材料から成って良い。情報は、書換可能な媒体ではマーク、追記型媒体の場合ではピットとも称される、担体１上の光学的に検出可能な領域の形式で記録されて良い。
【００２４】
装置は、しばしば光学ピックアップ（ＯＰＵ）と称される光学ヘッド２０を有する。光学ヘッド２０は、作動手段２１、例えば電動ステッピング・モーターにより移動可能である。光学ヘッド２０は、光検出システム１０、線源４、ビーム・スプリッター６、対物レンズ７、及びレンズ移動手段９を有する。レンズ移動手段９はレンズ７を担体１の径方向及び合焦方向の両方向に移動可能である。光学ヘッド２０はまた、３スポット差動プッシュプル半径方向トラッキング制御方法又は他の如何なる適用可能な制御方法に用いるため放射ビーム５を少なくとも３個の成分にスプリット可能な、格子又はホログラフィック・パターンのような、ビーム・スプリット手段２２を有して良い。明瞭さのため、放射ビーム５は、ビーム・スプリット手段２２を通過した後、単一のビームとして示される。同様に、反射された放射８はまた、１つ以上の成分、例えば３個のスポットＡ、Ｂ、Ｃ、及びそれらの回折を有し得るが、明瞭さのため図２にはただ１つのビーム８が示される。
【００２５】
光検出システム１０の機能は、担体１から反射された放射８を電気信号に変換することである。従って、光検出システム１０は、本発明に関しては第１の信号として定められて良い１つ以上の電気出力信号を生成可能な複数の光検出器、例えばフォト・ダイオード、電荷結合素子（ＣＣＤ）等を有する。光検出器は、エラー信号、つまりフォーカスＦＥ及びラジアル・トラッキングＲＥを検出可能なように、互いに空間的に及び十分な時間解像度を有し構成される。フォーカスＦＥ及びラジアル・トラッキング・エラーＲＥ信号は、プロセッサー５０へ送信され、一般に知られているサーボ機構がＰＩＤ制御手段を用い動作される（比例積分は担体１上の放射ビーム５の径方向の位置及び合焦位置を制御するために用いられる）。
【００２６】
光検出システム１０はまた、リード信号又は担体１からプロセッサー５０へ読み出される情報を表すＨＦ信号を出力し得る。リード信号は、場合によってはプロセッサー５０でＨＦ信号の低域通過フィルタリングにより中央開口（ＣＡ）信号へ変換されて良い。
【００２７】
光ビーム５を放射する線源４は、例えば放射の可変パワーを有する、また場合によっては可変波長を有する半導体レーザーであり得る。或いは、線源４は１より多いレーザーを有して良い。本発明では、用語「光」は可視光、紫外光（ＵＶ）、赤外光（ＩＲ）等のような光学記録及び／又は再生に適した如何なる種類の電磁放射を有しても良いと考えられる。
【００２８】
光学ヘッド２０は、放射ビーム５がビーム・スプリッター６及び対物レンズ７を介し光学担体１へ向けられるよう、光学的に構成される。担体１から反射された放射８は、対物レンズ７により集められ、そしてビーム・スプリッター６を通過した後、光検出システム１０へ向かう。光検出システム１０は、入射光８を上述のように電気出力信号に変換する。
【００２９】
プロセッサー５０は、光検出手段１０からの信号を受信し解析する。プロセッサー５０はまた、制御信号を作動手段２１、線源４、レンズ移動手段９、及び回転手段３０へ、図２に図示されるように出力し得る。同様に、プロセッサー５０は６１で示されるデータを受信し得る。またプロセッサー５０は、読み出し処理からのデータを６０で示されるように出力して良い。図２に示されるように、プロセッサー５０は２つの部分を有する。つまりアナログ信号プロセッサーＡＳＰ（ＨＦプロセッサーとも称される）である第１の処理手段、及びデジタル信号プロセッサーＤＳＰである第２の処理手段である。
【００３０】
図３は図２に示される光学装置のプロセッサー５０の概略ブロック図である。更に、光検出手段１０はプロセッサー５０の左に示され、４つの部分に分割される中央ビーム８のための中央光検出器１０．１、それぞれ２つの部分に分割される、中央ビーム８の付随ビームのための２つの隣接する光検出器１０．２を有する。
【００３１】
光検出手段１０から、図３でＨＦと付された信号はプロセッサー５０へ送信される。プロセッサー５０を通じた当該信号の処理は、ＨＦチャンネル又はＨＦデータ経路をプロセッサー５０の上部に示されるように定める。通常、第１のＨＦ信号は中央検出器１０．１に入射する光強度の合計である。
【００３２】
光検出手段１０から、図３でＡ．．Ｄと付された別の１次信号もプロセッサー５０へ送信される。Ａ．．Ｄ信号は、光検出器１０．１及び１０．２の異なる光検出器の部分の別個の成分を有し、後にフォーカス・エラー・トラッキング、ラジアル・エラー・トラッキング、ウォブル信号、書き込みクロックとの同期、ミラー信号を得るため等に用いられる。プロセッサー５０を通じた当該信号の処理は、補助チャンネル又は補助データ経路をプロセッサー５０の下部に示されるように定める。
【００３３】
上のチャンネルでは、ＨＦ信号は先ずプロセッサー５０のＡＳＰ内の可変利得増幅器ＶＧＡで増幅される。
【００３４】
ＨＦ２次信号は次にＤＳＰへ送信され、最初にＡＤＣ内でアナログ−デジタル変換器される。デジタル領域に変換された後、ＨＦ信号は帯域通過フィルターＢＰＦへ渡される。帯域通過フィルターＢＰＦの上方カットオフ周波数（ＨＰＦ）及び下方カットオフ周波数（ＬＰＦ）は、非対称性Ａｓが定められる処理部Ａｓ？から制御可能である。しかしながら、ＢＰＦはまたチャンネルのビット周波数長に応じて制御可能である。この従属関係は図３では明瞭さのため省略されている。帯域通過フィルタリングの後、信号は従来の種類の自動利得制御ＡＧＣの下で増幅される。ＡＧＣはラジアル及びフォーカス・ループの帯域幅を予め設計された値に調整し、最良のトラッキング性能が達成され得るようにする。
【００３５】
自動利得制御に従い、例えば担体１への書き込みタイミングのために書き込みクロックと同期を取る位相ロック・ループＰＬＬが実施される。移相比較器（示されない）及び低域通過フィルターＬＰＦは、後にＨＦ信号を復号するためにクロック信号を生成する電圧制御発振器（示されない）を有する閉ループ内で利用される。
【００３６】
位相ロック・ループ内には、統合測定手段Ａｓ？が存在し、プロセッサー５０の上部でＨＦ信号又はデータ・チャンネルの非対称性（Ａｓ）を定める。非対称性（Ａｓ）の測定自体は当業者に良く知られている測定手段により実行されて良い。例えば特許文献２を参照のこと。本発明を適用する状況で、理解されるべき点は、「非対称性の測定」又は「非対称性表示」が非対称値自体から直接的又は間接的に導出された又は導出可能な如何なる指標も含み得ることである。従って、いくつかの適用では、場合によっては非対称性に比例する信号のみが本発明を実施するために必要であって良い。非対称性Ａｓが所定レベルより高い場合、制御値は測定手段Ａｓ？から帯域通過フィルターＢＰＦへ送信される。第１の所定レベルは０．１０、０．１５、０．２０、０．２５、０．３０、０．３５、又は０．４０等であって良い。或いは、所定レベルは０．１３、０．１８、０．２３、０．２５、０．３０、０．３８、又は０．４３等であって良い。実験によると、０．０３乃至０．０５のΔ差分を有することが有利であるという傾向がある。ＢＰＦへ送信される制御値は次に本発明の第１の態様に従い、上方カットオフ周波数（ＨＦＰ）を第１のカットオフ周波数ＨＰＦ１まで低下する。カットオフ周波数ＨＦＰの相対的な低下は、問題の担体及び光学ドライブの動作条件に依存して５％、１０％、１５％、２０％、２５％、３０％、３５％、４０％、４５％、５０％、５５％、６０％、６５%、７０%、又は７５%であって良い。４０Ｈｚで回転するＤＶＤ−ＲＯＭ担体の例は、上方カットオフ周波数は２１．６ｋＨｚに設定される場合、非対称性（Ａｓ２）の第２の決定で有意に向上され得る。非対称性は、全ての調整及び較正（以下を参照）の後にも３％のような低い値まで低下され得る。非対称性の信頼できる値を得るために上方カットオフ周波数（ＨＰＦ）の低下は複数回に亘り調整され、望ましくは低下されて良いことが考えられる。従って、非対称性の調整及び測定は非対称性のループ測定を選択して良い。標準的に非対称性Ａｓ１又はＡｓ２の測定も、平均化手順、例えば相加平均又は相乗平均の結果であり、測定結果の不確実性及び／又は信号の不安程度を補償して良い。
【００３７】
第１の実施例では、カットオフ周波数の高域通過フィルターの第２のカットオフ周波数ＨＰＦ２への更なる低下が実施される。これは、第２の非対称性表示（Ａｓ２）が所定の第２の閾より高い場合に行われる。第２の所定レベルは０．１０、０．１５、０．２０、０．２５、０．３０、０．３５、又は０．４０であって良い。更に又は代案として、担体１の情報のデータ・チャンネルＨＦに対し実行される低域通過フィルタリングのカットオフ周波数ＬＰＦ１の増大が実行される。従って、帯域通過フィルターＢＰＦの周波数ウインドウは縮小される。望ましくは、縮小は非対称性を測定している間に実行され、非対称性を最適化する、例えば非対称性が最小化される手順を可能にする。しかしながら、特定の動作条件下では、いくつかの他の理由により光学ドライブの動作がＢＰＦの特定周波数領域から区切られている場合、最適化された非対称性は必ずしも非対称性（Ａｓ）の大域的最小値を生じない。いくつかの光学ドライブでは、有利なことに、ＢＰＦの周波数ウインドウを調整する前に、リミット・イコライザＬｉｍｉｔＥｑｕａ（３Ｔ増幅の適応クリッピング・レベルを有する）をオフに切り替え、ＨＦ信号の３Ｔ成分又は他の高周波数成分の歪みを回避する。例えば、測定されたディスクの非対称性が約２７％である場合、この非対称ディスクに追加される追加３Ｔブースト利得は標準のイコライザより約５ｄＢ多い。異なる再生速度及びディスク種類では、周波数ウインドウは異なって良い。全ての可能な速度、ディスク種類、及びそれらの対応する周波数ウインドウを列挙することは困難だが、当業者は本発明を種々の光学ドライブ及び／又は担体に直ちに実施し得る。
【００３８】
第２の実施例では、第３の非対称性測定（Ａｓ３）が実行される。この非対称性測定に基づき、上のデータ・チャンネルのイコライザＥｑｕａは、第３の非対称性表示（Ａｓ３）に応じて、データ・チャンネルＨＦのＥＦＭ又はＥＦＭ＋のようなチャンネル・コード内の相対的に低い整数値のチャンネル・ビットを有するデータ・チャンネル部分、例えば３Ｔ、４Ｔ、５Ｔを増幅するために用いられる。イコライザＥｑｕａの設定は、高周波数領域と低周波数領域との間の利得比を変化することにより調整されて良い。任意的に、第３の非対称性測定は複数の非対称性測定を有して良く、またイコライザＥｑｕａの設定は従って最適化手順の下で当該複数の非対称性測定に基づき評価されて良い。
【００３９】
第３の実施例では、イコライザＥｑｕａの設定は調整されて良く、結果として生じるバイナリ・リード信号のジッタが監視される。ジッタはバイナリ・リード信号の時間変化の標準偏差である。当該バイナリ・リード信号は、ＨＦチャンネルからのＨＦ信号がイコライザＥｑｕａを通じて供給された後に、スライサーＳｌｉｃにより生成される。前縁及び後縁のジッタはＰＬＬクロックに対して測定され、そしてチャンネル・ビットのクロック周期により正規化される。図４はこのような手順の代表的なグラフを示す。グラフは縦軸に相対ジッタ、横軸にイコライザＥｑｕａの種々の設定を示す。図４から分かるように、ジッタはイコライザＥｑｕａの設定の約５．５近傍で最小値を有し、ここでジッタを最小化する最適なイコライザ設定を提供する。
【００４０】
ジッタ最適化の後に、バイナリ・リード信号は復調ユニットＤｅｍｏｄへ送信される。復調ユニットＤｅｍｏｄは更に復号し、そして適切な誤り訂正符号（ｅｃｃ）の下でエラー訂正する。
【００４１】
プロセッサー５０の下のチャネルでは、信号Ａ．．Ｄは和／差回路＋／−へ送信される。和／差回路＋／−は、ラジアル・エラー信号（ＲＥ）トラッキング、例えばプッシュプル信号ＰＰ、及びフォーカス・エラー（ＦＥ）信号の関連する１次信号Ａ．．Ｄを処理する。下のＶＧＡで増幅した後、ＦＥ及びＲＥ信号はＤＳＰへ送信される。
【００４２】
ＦＥ及びＲＥ信号はＤＳＰへ送信され、ＤＳＰの下のＡＤＣで最初にアナログ−デジタル変換される。このＡＤＣはＰＣＭ信号を出力するフラッシュＡＤＣである。同様に、ピーク決定はＡＳＰの下のチャンネルの可変利得増幅器ＶＧＡを制御するために適用され、ラジアル・エラー（ＲＥ）信号及びフォーカス・エラー（ＦＥ）信号の増幅レベルを最適化して良い。場合により、エラー信号の１つだけが増幅されて良い。ラジアル・エラー（ＲＥ）信号及びフォーカス・エラー（ＦＥ）信号のこの増幅は、望ましくはカットオフ周波数をデータ・チャンネルＨＦに実行される高域通過フィルタリングの第１のカットオフ周波数（ＨＰＦ１）まで低下した直後に実行される。
【００４３】
図５は本発明による方法のフローチャートである。方法は以下の段階を有する。
Ｓ１  先ず、担体の検出、回転速度、反射レベルなどの設定、ラジアル及びフォーカス制御ループ、及び種々の他の起動手順が実行される。
Ｓ２  光学担体１からの情報のデータ・チャンネルＨＦの第１の非対称性表示／測定Ａｓ１？を定める。
前記第１の非対称性表示が所定の第１の閾より高い場合、
Ｓ３  前記第１の非対称性表示Ａｓ１？に応じて、上方カットオフ周波数を担体１の情報のデータ・チャンネル（ＨＦ）に実行される高域通過フィルターＢＰＦの第１のカットオフ周波数（ＨＰＦ１）まで低下する。
Ｓ４  光学担体１を制御するサーボ機構のラジアル・エラー信号ＲＥ及び／又はフォーカス・エラー信号ＦＥの増幅レベルを最適化する。
Ｓ５  光学担体１からのデータ・チャンネルＨＦの第２の非対称性表示／測定Ａｓ２？を定める。
【００４４】
第２の非対称性表示（Ａｓ２？）が所定の第２の閾より高い場合、方法はＳ６へ続く。非対称性が第２の閾より低い場合、方法は段階Ｓ１１（以下を参照）へ続く。
Ｓ６  任意的段階であり、リミット・イコライザをオフに切り替え、ＨＦ信号の高周波数部分の歪みを回避する。
Ｓ７  第２の非対称性表示Ａｓ２？が所定の第２の閾より高い場合、カットオフ周波数を担体１の情報のデータ・チャンネルＨＦに実行される高域通過フィルタリングの第２のカットオフ周波数ＨＰＦ２まで低下する、及び／又は担体の情報のデータ・チャンネルＨＦに実行される低域通過フィルタリングの下方カットオフ周波数ＬＰＦ１を増大する。従って、段階Ｓ７及びＳ８の組み合わせは、帯域通過フィルターＢＰＦの周波数ウインドウを狭くし得る。場合により、第２のカットオフ周波数ＨＰＦ２及び／又は下方カットオフ周波数ＬＰＦ１は、非対称性Ａｓ２の最適化手順の結果、調整される。
Ｓ８  光学担体からのデータ・チャンネルＨＦの第３の非対称性表示Ａｓ３？を定める。
Ｓ９  前記第３の非対称性表示Ａｓ３？に応じて、データ・チャンネルＨＦのチャンネル・コード内のチャンネル・ビットの比較的低い整数値を有するデータ・チャンネル部分を増幅するイコライザを適用する。従って３Ｔ及び類似部分はブーストされる。イコライザは、ＨＦ信号の特定の周波数領域を選択的に増幅可能な類似電子素子又は回路により等価に置き換えられて良い。
Ｓ１０  イコライザＥｑｕａの１又は複数の調整可能パラメーターを変化することにより、データ・チャンネルのジッタの最適化を実行する。
Ｓ１１  最後に、本発明の方法が実施された後、光学ドライブは担体１からの情報の記録／再生を続け、及び記録／再生の準備をして良い。例えばラジアル・キャプチャ及び初期化が開始されて良い。
【００４５】
本発明は特定の実施例と関連して記載されたが、これら実施例は本発明を本願明細書に記載された特定の形式に限定するものではない。むしろ、本発明の範囲は特許請求の範囲によってのみ限定される。請求項では、「有する」の語は他の要素又は段階の存在を排除しない。更に、個々の特徴は異なる請求項に包含されるが、これらは場合によっては有利に結合されて良く、また異なる請求項に包含されるものは特徴の組み合わせが可能でない及び／又は有利でないことを示唆しない。更に、単数表記は複数を排除しない。従って「１つの」、「第１の」「第２の」等の表記は複数を除外しない。更に、請求項の参照符号は請求項を制限すると見なされるべきではない。
【図面の簡単な説明】
【００４６】
【図１Ａ】ほぼ理想的な対称信号の所謂アイ・パターンからのＨＦ信号部分を示す。
【図１Ｂ】極めて非対称な信号の所謂アイ・パターンからのＨＦ信号部分を示す。
【図２】本発明による光学記録／再生装置の実施例の概略ブロック図である。
【図３】本発明によるデジタル信号プロセッサーの実施例の概略ブロック図である。
【図４】イコライザの設定を変化した実験結果及び結果として生じたＨＦジッタを示す。
【図５】本発明による方法のフローチャートである。
【図１Ａ】
2009508279.tif 000003
【図１Ｂ】
2009508279.tif 000004
【図２】
2009508279.tif 000005
【図３】
2009508279.tif 000006
【図４】
2009508279.tif 000007
【図５】
2009508279.tif 000008
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
方法であって、非理想的光学担体から情報を読み出す間の前記非理想的光学担体からの情報の再生可能性を向上し、前記方法は、
（ａ）前記光学担体からの情報のデータ・チャンネルの第１の非対称性表示を定める段階、
前記第１の非対称性表示が所定の第１の閾より高い場合、
（ｂ）前記第１の非対称性表示に応じて、上方カットオフ周波数を前記担体の情報のデータ・チャンネルで実行される高域通過フィルタリングの第１のカットオフ周波数まで低下する段階、
（ｃ）前記光学担体を制御するサーボ機構のラジアル・エラー信号及び／又はフォーカス・エラー信号の増幅レベルを最適化する段階、及び
（ｄ）前記光学担体からのデータ・チャンネルの第２の非対称性表示を定める段階、を有する方法。
【請求項２】
（ｅ１）前記第２の非対称性表示が所定の第２の閾より高い場合、前記カットオフ周波数を前記担体の情報のデータ・チャンネルで実行される高域通過フィルタリングの第２のカットオフ周波数まで低下する段階、を更に有する請求項１記載の方法。
【請求項３】
（ｅ２）前記第２の非対称性表示が所定の第２の閾より高い場合、前記担体の情報のデータ・チャンネルで実行される低域通過フィルタリングの下方カットオフ周波数を増大する段階、を更に有する請求項１記載の方法。
【請求項４】
前記第２のカットオフ周波数及び／又は前記下方カットオフ周波数は、前記非対称性の最適化手順の結果、調整される、請求項２乃至３の何れか１項記載の方法。
【請求項５】
（ｆ）前記光学担体からのデータ・チャンネルの第３の非対称性表示を定める段階、及び
（ｇ）前記第３の非対称性表示に応じて、データ・チャンネルのチャンネル・コード内のチャンネル・ビットの比較的低い整数値を有するデータ・チャンネル部分を増幅するイコライザを適用する段階、を更に有する請求項１記載の方法。
【請求項６】
（ｈ）前記イコライザの１又は複数の調整可能パラメーターを変化することにより、前記データ・チャンネルのジッタの最適化を実行する段階、を更に有する請求項５記載の方法。
【請求項７】
前記データ・チャンネル部分は、データ・チャンネルのチャンネル・コード内で最も低い整数値のチャンネル・ビットを有する、請求項５記載の方法。
【請求項８】
（ｃ）前記光学担体を制御するサーボ機構のラジアル・エラー信号及び／又はフォーカス・エラー信号の増幅レベルを最適化する段階は、自動利得制御の適用により実行される、請求項１記載の方法。
【請求項９】
前記段階（ａ）、（ｂ）、（ｃ）、及び（ｄ）の１又は複数は複数回繰り返される、請求項１記載の方法。
【請求項１０】
光学ドライブであって、非理想的担体に情報を記録し／非理想的担体から情報を再生し、前記光学ドライブは、前記光学担体から情報を読み出す間の再生可能性を向上するよう適応され、前記光学ドライブは、
（ａ）前記光学担体からのデータ・チャンネルの第２の非対称性表示を定め、及び前記光学担体からのデータ・チャンネルの第１の非対称性表示を定める測定手段、
（ｂ）前記第１の非対称性表示が所定の第１の閾より高い場合、前記第１の非対称性表示に応じて、上方カットオフ周波数を前記担体の情報のデータ・チャンネルの第１のカットオフ周波数まで低下する高域通過フィルタリング手段、
（ｃ）前記光学担体を制御するサーボ機構のラジアル・エラー信号及び／又はフォーカス・エラー信号の増幅レベルを最適化する増幅手段、及び
（ｄ）前記光学担体からのデータ・チャンネルの第２の非対称性表示を定める測定手段、を有する光学ドライブ。
【請求項１１】
コンピューター・プログラムであって、関連付けられたデータ記憶手段を有する少なくとも１つのコンピューターを有するコンピューター・システムに、請求項１に従い、情報を読み出す間の非理想的光学担体からの情報の再生可能性を向上させる、コンピューター・プログラム。
【国際調査報告】
2009508279.tif 000009
2009508279.tif 000010
2009508279.tif 000011